(57)【要約】【課題】従来から広く知られているモグサによる温熱療法に近い温熱療法を使用者に施すことができる温灸具を提供する。【解決手段】温灸具１は、マイクロ波の照射を受けて発熱する発熱体２と  発熱体２を収容する有底筒状の容器３と、底部４０の少なくとも一部が発熱体２と当接及び離反可能に容器３に取り付けられる筒状のカバー４とを備える。カバー４は、底部４０が発熱体２と当接する当接位置と、底部４０が発熱体２との間に空間４２を形成する離反位置との間を移動するように、容器３に対して軸方向にスライド可能に取り付けられる。容器３及びカバー４には、一方の前記当接位置及び前記離反位置と対応する位置に凹部４４，４５が、他方に凹部４４，４５と係脱する凸部３８が、それぞれ形成されている。【選択図】図２
2015009033.tif 000002
【特許請求の範囲】
【請求項１】
マイクロ波の照射を受けて発熱する発熱体と  
前記発熱体を収容する有底筒状の容器と、
底部の少なくとも一部が前記発熱体と当接及び離反可能に前記容器に取り付けられる筒状のカバーとを備える温灸具。
【請求項２】
前記カバーは、前記底部が前記発熱体と当接する当接位置と、前記底部が前記発熱体との間に空間を形成する離反位置との間を移動するように、前記容器に対して軸方向に変位可能である請求項１に記載の温灸具。
【請求項３】
前記カバーは、前記容器に対して軸方向にスライド可能に取り付けられ、前記容器及び前記カバーには、一方の前記当接位置及び前記離反位置と対応する位置に凹部が、他方に前記凹部と係脱する凸部が、それぞれ形成されている請求項２に記載の温灸具。
【請求項４】
前記カバーは、前記容器に対して着脱可能に取り付けられる請求項１に記載の温灸具。
【請求項５】
前記カバーの前記底部には、第１突起が設けられている請求項１〜４のいずれかに記載の温灸具。
【請求項６】
前記容器の底部には、前記カバーの前記底部とで前記発熱体を挟持する第２突起が設けられている請求項１〜５のいずれかに記載の温灸具。
【請求項７】
前記第１突起は、前記第２突起よりも高さが低い請求項６に記載の温灸具。
【発明の詳細な説明】
【技術分野】
【０００１】
本発明は、身体のツボに熱刺激を与えるための温灸具に関し、特に、電子レンジで温めて使用する温灸具に関する。
【背景技術】
【０００２】
従来から、肩こり、腰痛、神経痛などの治療にお灸が使用されている。身体に張り巡らされた経絡上のツボの位置にお灸を直接載せて、ツボに熱刺激を与えることにより、温熱療法が行われている。
【０００３】
この種の温熱療法としては、身体のツボの位置（患部）にモグサを付着させ、モグサに火をつけて燃やすことによってツボに熱刺激を与える方法が広く知られている。一方、最近では、火を使わずに温熱療法を簡便に行うことができるように、マイクロ波の照射を受けて発熱する発熱体を耐熱性に優れた収容具に収容した温灸具により、ツボに熱刺激を与える方法も知られている（例えば特許文献１を参照）。
【０００４】
特許文献１の温灸具は、電子レンジにより発熱体を所定温度まで加熱させた後、収容具を患部に接触させて所定時間保持することにより、発熱体に蓄熱された熱が収容具を通して患部に伝えられる。
【先行技術文献】
【特許文献】
【０００５】
【特許文献１】特開昭５９−２０６４８０公報
【発明の概要】
【発明が解決しようとする課題】
【０００６】
しかしながら、特許文献１の温灸具では、発熱体を収容具で被覆しているだけであり、収容具は、身体と接触させる接触面や収容具を掴むための側面が発熱体と接している。よって、温灸具の電子レンジによる加熱の際に、発熱体から発せられる熱が収容具に直に伝わり、発熱体の昇温に伴い収容具も大きく昇温するので、電子レンジによる加熱後には収容具がかなりの高温となる。そのため、この温灸具を身体に当てて温熱療法を行うと、収容具の接触面が高温となっているので、温熱療法の開始直後から患部に熱が強烈に伝わる。これに対して、従来から広く知られているモグサによる温熱療法では、モグサは火をつけた直後は温度が高くなく、時間の経過とともに徐々に昇温することで患部に熱が伝わり、おおよそ２分〜５分程度で最高温度に達した後、徐々に温度が低下する。そのため、特許文献１の温灸具は、このような従来から広く知られているモグサによる温熱療法を再現していないとの問題がある。
【０００７】
本発明は、上記した課題に着目してなされたものであり、従来から広く知られているモグサによる温熱療法に近い温熱療法を使用者に施すことができる温灸具を提供することを目的とする。
【課題を解決するための手段】
【０００８】
本発明の上記目的は、マイクロ波の照射を受けて発熱する発熱体と、前記発熱体を収容する有底筒状の容器と、底部の少なくとも一部が前記発熱体と当接及び離反可能に前記容器に取り付けられる筒状のカバーとを備える温灸具により達成される。
【０００９】
上記構成の温灸具においては、前記カバーは、前記底部が前記発熱体と当接する当接位置と、前記底部が前記発熱体との間に空間を形成する離反位置との間を移動するように、前記容器に対して軸方向に変位可能であることが好ましい。なお、前記カバーは、前記容器に対して着脱可能であることで、底部の少なくとも一部が前記発熱体と当接及び離反可能に前記容器に取り付けられてもよい。
【００１０】
また、前記カバーは、前記容器に対して軸方向にスライド可能に取り付けられ、前記容器及び前記カバーには、一方の前記当接位置及び前記離反位置と対応する位置に凹部が、他方に前記凹部と係脱する凸部が、それぞれ形成されていることが好ましい。
【００１１】
また、前記カバーの前記底部には、第１突起が設けられていることが好ましい。
【００１２】
また、前記容器の底部には、前記カバーの前記底部とで前記発熱体を挟持する第２突起が設けられていることが好ましい。
【００１３】
また、前記第１突起は、前記第２突起よりも高さが低いことが好ましい。
【発明の効果】
【００１４】
本発明の温灸具によれば、カバーが容器に対して、底部の少なくとも一部が発熱体と当接及び離反可能となるように取り付けられるので、電子レンジなどによる加熱時に、カバーの底部を発熱体から離反させることで、発熱体から発生する熱がカバーの底部に直に伝わることがなく、よって、発熱体からの熱によりカバーの底部の温度が大幅に昇温することが防止されている。そして、電子レンジによる加熱後、カバーの底部を発熱体と当接させることで、発熱体から発せられる熱がカバーの底部に直に伝わる。これにより、カバーの底部を介して、熱が身体の患部に伝わり、ツボに熱刺激を与えることができる。このように、本発明の温灸具では、身体の患部に接触させるカバーの底部は、従来技術の特許文献１の温灸具のように、電子レンジによる加熱直後に高温になりすぎることがなく、発熱体からの熱を受けて徐々に温度が上がり、所定時間が経過して最高温度に達した後に、徐々に温度が下がる結果、従来から温熱療法に一般的に用いられているモグサによる熱刺激と同等の熱刺激をツボに与えることができ、モグサによる温熱療法に近い温熱療法を使用者に施すことができる。
【図面の簡単な説明】
【００１５】
【図１】本発明の一実施形態の温灸具のカバーが当接位置にある状態における断面図である。
【図２】本発明の一実施形態の温灸具のカバーが離反位置にある状態における断面図である。
【図３】容器の平面図である。
【図４】容器の底面図である。
【図５】容器の側面図である。
【図６】図３のＡ−Ａ線に沿う断面図である。
【図７】図３のＢ−Ｂ線に沿う断面図である。
【図８】カバーの平面図である。
【図９】カバーの側面図である。
【図１０】図９のＣ−Ｃ線に沿う断面図である。
【図１１】電子レンジによる加熱後のカバーの底部の温度変化を表すグラフである。
【図１２】電子レンジによる加熱後の容器の側壁部の温度変化を表すグラフである。
【発明を実施するための形態】
【００１６】
以下、本発明の実施形態について、添付図面を参照して説明する。図１及び図２は、本発明の一実施形態に係る温灸具１の内部構成を示している。また、図３〜図７は、図１及び図２の容器３の外観及び内部構成を示しており、図８〜図１０は、図１及び図２のカバー４の外観及び内部構成を示している。なお、以下においては、図１及び図２の上下方向を上下方向と称して説明する。
【００１７】
本実施形態に係る温灸具１は、マイクロ波の照射を受けて発熱する発熱体２と、両端に底部３０，４０を有し、内部に発熱体２を収容する筒状の収容具５とを備えている。この温灸具１は、例えば電子レンジにより発熱体２を所定温度まで加熱した後、収容具５の一方の底部４０を身体のツボの位置（患部）に接触させて所定時間保持することにより、発熱体２から発せられる熱によりツボに熱刺激を与えるものである。なお、収容具５の一方の底部４０を患部に接触させる際には、図示は省略するが、両面に粘着性又は接着性を有するシールを予め患部に貼り付け、このシールに収容具５の一方の底部４０を貼り付けることで、収容具５を患部から外れることなく長時間保持することができる。
【００１８】
発熱体２は、マイクロ波を吸収して自己発熱する発熱材料を主成分として含んでいる。上記した発熱材料としては、例えば、マンガン−亜鉛系、ニッケル−亜鉛系、マグネシウム−ニッケル系、マグネシウム−銅系などのフェライト、炭化珪素、炭素材料、二酸化珪素、フェノール樹脂、ユリア樹脂、メラニン樹脂、ポリエチレングリコールやポリ塩化ビニルなどの高分子化合物、などを例示することができる。この発熱材料の粉末、粒、塊又は液状・粘液状物を、シリコーンゴムやフッ素ゴムなどの耐熱性を有するバインダーに混合して均一に分散させ、必要に応じて、分散剤やゴムの老化防止剤、酸化防止剤を添加した組成物を、例えば円柱状などの任意の形状に成形して熱処理することで発熱体２が製造される。このような発熱体２は、従来から公知のものであり、例えば、特開２０１２−５７８２９号公報や特開２０１０−６６１７号公報に記載のものを好適に用いることができる。発熱体２は、電子レンジによる加熱により、５０℃〜１２０℃程度まで昇温されるように作製されていることが好ましい。これにより、身体の患部に熱を伝える役割を果たす収容具５の一方の底部４０の温度が、モグサによる温熱療法の最高温度の５０℃〜８０℃程度となるので好ましい。
【００１９】
収容具５は、本実施形態では、発熱体２を収容する有底筒状の容器３と、容器３に取り付けられる有底筒状のカバー４とからなり、カバー４の底部４０を身体の患部に接触させることにより、発熱体２から発せられる熱を患部に伝えてツボを熱刺激する。容器３及びカバー４は、マイクロ波の照射を受けてもマイクロ波を透過して容器３及びカバー４自体は発熱しにくい材料で形成され、例えば、陶磁器やグラスファイバーの他、ナイロン、ポリエチレン、ポリスチレン、ポリプロピレンなどの耐熱性を有する硬質の合成樹脂をモールド成形することで形成される。中でも、耐熱性や成形性の点からポリプロピレンが好ましい。容器３及びカバー４は、全体形状がともに、一端に開口を有するとともに他端に底部３０，４０を有する有底筒状であって、円板状の底部３０，４０が円筒状の側壁部３１，４１よりも外形が大きく形成されている。
【００２０】
容器３は、底部３０と側壁部３１とを備え、その内部空間に発熱体２が収容される。容器３の底部３０には、底部３０の内面から突き出る環状の第２突起３２が一体に設けられており、この第２突起３２を介して発熱体２が底部３０上に支持されている。また、底部３０の内面とは反対側の外面には、中央部に皿状に滑らかに凹んだ窪み面３５が形成されている。この窪み面３５は人の手の指先の腹の形状に沿っており、この窪み面３５に指先を当接させることで、後述するように、容器３をカバー４に向けて押し込んで、カバー４を容器３に対してスライドさせる際に、容器３を押し込みやすくなっている。一方で、容器３及びカバー４の底部３０，４０が側壁部３１，４１よりも大きく形成されていることで、カバー４を容器３から離れる方向にスライドさせる際に、両底部３０，４０が持ち手となるために、両手を使って簡単に両者を引き離すことができる。
【００２１】
容器３の側壁部３１は、発熱体２よりも僅かに大きい外径を有しており、側壁部３１の先端（下端）は、カバー４の側壁部４１内にスムーズに挿入できるよう面取りされている。側壁部３１の内周面には、複数箇所に、底部３０から軸方向（上下方向）に延びるリブ３３が一体に設けられている。このリブ３３は、第２突起３２上に支持された発熱体２の外周面に当接し、これにより、発熱体２の外周面と側壁部３１の内周面との間に空間３４を形成する。また、リブ３３は、発熱体２の外周面に当接することで、第２突起３２上に支持された発熱体２を動くことなく所定の位置に位置させる位置決めとして機能する。このような位置決めとしてリブ３３を機能させるためには、少なくとも２つ、好ましくは３つ以上のリブ３３が側壁部３１の内周面に周方向に沿って等間隔で配置されていることが好ましい。本実施形態では、４つのリブ３３が９０度間隔で配置されている。なお、リブ３３が２つしか設けられていない場合でも、発熱体２の外周面に軸方向（上下方向）に延びる溝（図示せず）を形成し、この溝にリブ３３を嵌め込むようにすれば、発熱体２を確実に動くことなく定位置に位置決めできる。なお、リブ３３が３つ以上設けられる場合でも、発熱体２の外周面に上記した溝を形成してもよい。リブ３３は、本実施形態では、その先端が先細りとなるテーパ状に形成され、側壁部３１の内周面とつながっているが、必ずしもテーパ状に形成されている必要はなく、また、リブ３３は、その先端（下端）が側壁部３０の先端まで延びていてもよい。
【００２２】
発熱体２の外周面と側壁部３１の内周面との間の空間３４は、空気の存在により断熱層として機能し、温灸具１の電子レンジによる加熱の際に、発熱体２から発生する熱が側壁部３１に直に伝わることで、発熱体２からの熱により側壁部３１の温度が高温となることを防止する。これにより、電子レンジによる加熱後の容器３の側壁部３１の温度を、使用者がさほど熱く感じることなく十分に側壁部３１を掴むことができる温度範囲である３０℃〜６０℃程度の範囲に設定することができる。加えて、発熱体２から発生する熱を、側壁部３１を伝って容器３外へ逃がすことなく効率よく容器３内に蓄熱することができるので発熱体２の保温性を高めることができる。リブ３３の高さＨ１は、０．２ｍｍ以上１．０ｍｍ以下であることが好ましく、本実施形態では０．５ｍｍ程度である。リブ３３の高さＨ１が０．２ｍｍよりも低いと、発熱体２から発生する熱により側壁部３１が昇温しやすく、側壁部３１の温度が高温になるおそれがあるからである。
【００２３】
なお、容器３の底部３０の第２突起３２によっても、側壁部３１のリブ３３と同様に、発熱体２の上端面と底部３０の内面との間に空間３９が形成され、この空間３９も空気の存在により断熱層として機能し、温灸具１の電子レンジによる加熱の際に、発熱体２から発生する熱が底部３０に直に伝わって、発熱体２からの熱により底部３０の温度が高温となることが防止される。これにより、電子レンジによる加熱後の容器３の底部３０の温度も５０℃〜８０℃程度の範囲に設定することができ、使用者がカバー４を容器３に対してスライドさせる際に、使用者が底部３０の窪み面３５をさほど熱く感じることなく触れることが可能となる。第２突起３２の高さＨ２は、０．５ｍｍ以上６．０ｍｍ以下であることが好ましく、本実施形態では１．０ｍｍ〜４．０ｍｍ程度である。なお、容器３の底部３０の第２突起３２は、後述するように、カバー４を容器３に向けてスライドさせた際、発熱体２をカバー４の底部４０に対して強く押え付けて、カバー４の底部４０とで発熱体２を挟持する役割も果たす。
【００２４】
容器３の側壁部３１には、先端（下端）から所定の長さ軸方向に切り欠かれることで、左右一対の凹溝３６が設けられるとともに、凹溝３６の間に、一端が側壁部３１に片持ち支持された係止片３７が設けられる。この係止片３７及び左右一対の凹溝３６は、側壁部３１の少なくとも２箇所の位置に設けられており、側壁部３１の周方向に沿って等間隔で配置されている。係止片３７の先端（下端）には、外側に突き出る凸部３８が設けられている。凸部３８は、本実施形態では、係止片３７の幅中央部において、軸方向に縦長に延びる第１凸部３８Ａと、第１凸部３８Ａの両側に設けられた一対の第２凸部３８Ｂとを備えている。第１凸部３８Ａは、上方へ向かうに連れて係止片３７の外面から突き出る高さが高くなる断面視直角三角形状に形成されており、第２凸部３８Ｂは、第１凸部３８Ａよりも高さが低く、第１凸部３８Ａと端部が揃うように断面視において頂部が丸い山形状に形成されている。この凸部３８（第１凸部３８Ａ及び第２凸部３８Ｂ）は、後述するカバー４の側壁部４１に形成された上下の凹部４４，４５と係脱する。なお、凸部３８（第１凸部３８Ａ及び第２凸部３８Ｂ）の形状は、カバー４の側壁部４１の上下の凹部４４，４５と係脱すれば種々の形状であってよい。
【００２５】
カバー４は、底部４０と側壁部４１とを備え、側壁部４１が容器３の側壁部３１よりも大きな外径を有しており、カバー４の内部空間に容器３の側壁部３１を挿入可能であるとともに、カバー４を軸方向にスライドさせることでカバー４が容器３に対して軸方向に変位可能となっている。これにより、カバー４は、底部４０が発熱体２と当接する当接位置（図１に示す）と、底部４０が発熱体２との間に空間４２を形成する離反位置（図２）との間を移動する。側壁部４１の先端（下端）は、容器３の側壁部３１をスムーズに挿入できるよう面取りされている。
【００２６】
カバー４の底部４０には、底部４０の内面から突き出る環状の第１突起４３が一体に設けられており、カバー４を容器３に向けてスライドさせて当接位置とした際には、底部４０は第１突起４３が発熱体２と当接する。カバー４の底部４０は、温灸具１の使用に際して身体の患部に接触させて発熱体２から発せられる熱を患部に伝達する部分であるため、第１突起４３の高さＨ３が高すぎると、発熱体２から発せられる熱が底部４０全体に十分に伝わらず、患部への伝熱効果が低下する。よって、発熱体２からの熱が底部４０全体に十分伝わるように、第１突起４３の高さＨ３は、０．１ｍｍ以上０．５ｍｍ以下であることが好ましく、本実施形態では０．３ｍｍ程度である。なお、第１突起４３の高さＨ３は第２突起３２の高さＨ２よりも低いことが好ましく、Ｈ２とＨ３の比として好ましくは３以上である。また、第１突起４３は、発熱体２からの熱が底部４０全体に十分伝わるように、第２突起３２よりも太い環状であることが好ましく、本実施形態では、第１突起４３の環の太さが１ｍｍ程度であるのに対して、第２突起３２の環の太さは２．５ｍｍ程度である。
【００２７】
カバー４の側壁部４１には、上記した当接位置及び離反位置と対応する位置に、凹部４４，４５が上下に設けられている。凹部４４，４５は、本実施形態では、側壁部４１を貫通する貫通孔により形成されている。上下一対の凹部４５，４５は、容器３の側壁部３１の凸部３８と対応する個数設けられており、本実施形態では、カバー４の側壁部４１の周方向に沿って等間隔で２箇所に配置されている。上下の凹部４４，４５の間は、側壁部４１を貫通する上下方向に長い長孔４６で繋がれている。この長孔４６の横幅は、容器３の側壁部３１の第１凸部３８Ａの横幅と同じであり、カバー４が容器３に対して軸方向にスライドする際、この長孔４６を第１凸部３８Ａが通過するようになっている。また、凹部４４，４５の横幅は、長孔４６の横幅よりも広く、容器３の側壁部３１の凸部３８（第１凸部３８Ａ及び第２凸部３８Ｂ）の横幅と同じである。凸部３８（第１凸部３８Ａ及び第２凸部３８Ｂ）が凹部４４，４５にそれぞれ引っ掛かって係止することで、カバー４を上記した当接位置及び離反位置に固定できる。なお、カバー４が容器３に対して軸方向にスライドする際には、容器３の第２凸部３８Ｂが、カバー４の側壁部４１の長孔両側部に突き当たるが、係止片３７が若干内側に撓んで第２凸部３８Ｂが上記したカバー４の側壁部４１の長孔両側部を乗り越えることで、スライドが可能になっている。
【００２８】
次に、上記構成の温灸具１の使用方法について説明する。まず、カバー４を容器３から離れる方向にスライドさせることで、図２に示す離反位置に移動させる。この状態で、温灸具１を電子レンジにカバー４が下になるように載置して所定時間加熱する。これにより、発熱体２がマイクロ波の照射を受けて発熱し、所定の温度まで昇温する。この電子レンジによる加熱の際には、カバー４が離反位置にあり、カバー４の底部４０は発熱体２と当接しておらず、発熱体２との間に空間４２が形成されている。この空間４２が空気の存在により断熱層として機能することで、電子レンジによる加熱時に、発熱体２から発生する熱がカバー４の底部４０に直に伝わって、発熱体２からの熱により底部４０の温度が大幅に昇温することが防止される。よって、電子レンジによる加熱後のカバー４の底部４０の温度が高温となることがなく、おおよそ３０℃〜５０℃程度の比較的低温に抑えることができる。
【００２９】
さらに、容器３の底部３０や側壁部３１と発熱体２との間にも空間３４，３９が介在し、同様に、空気の存在により断熱層として機能することで、電子レンジによる加熱時に、発熱体２から発生する熱が容器３の底部３０や側壁部３１に直に伝わって、発熱体２からの熱により底部３０や側壁部３１の温度が大幅に昇温することも防止される。よって、電子レンジによる加熱後の容器３の底部３０や側壁部３１の温度を、３０℃〜６０℃程度のさほど熱く感じることなく十分触ることができる低温度に抑えることができるので、使用者は、温灸具１を電子レンジから取り出すなどする際に、容器３の底部３０や側壁部３１、さらには容器３の側壁部３１よりも外側に位置するカバー４の側壁部４１を熱くて触れることが難しいということはない。
【００３０】
そして、電子レンジによる加熱が終わると、電子レンジから温灸具１を取り出し、カバー４を容器３に向けてスライドさせることで、図１に示す当接位置に移動させる。これにより、カバー４の底部４０が発熱体２と当接し、発熱体２から発せられる熱が底部４０に直に伝わるようになる。そして、身体の患部に、両面に粘着性又は接着性を有するシールを貼り付け、このシールにカバー４の底部４０を貼り付けて長時間保持することで、発熱体２から発せられる熱がカバー４の底部４０を介して患部に伝わり、ツボに熱刺激を与えることができる。
【００３１】
上記構成の温灸具１によれば、電子レンジによる加熱直後、身体に接触されるカバー４の底部４０は、その温度が電子レンジによる加熱前よりは多少上昇しているが、従来技術の特許文献１の温灸具の接触面のように高温になりすぎていることはなく、発熱体２からの熱を受けて徐々に温度が上がり、所定時間が経過して最高温度に達した後に、徐々に温度が下がる。この温度経過は、従来から温熱療法に一般的に用いられているモグサの温度経過と類似する。このように、上記構成の温灸具１では、カバー４が容器３に対して、底部４０の少なくとも一部が発熱体２と当接及び離反可能に取り付けられるので、モグサによる熱刺激と同等の熱刺激をツボに与えることができ、モグサによる温熱療法に近い温熱療法を使用者に施すことができる。
【００３２】
また、上記構成の温灸具１によれば、容器３の側壁部３１や底部３０と発熱体２との間に、リブ３３や第２突起３２が介在することで空間３４，３９が形成されているので、電子レンジによる加熱直後、容器３の側壁部３１や底部３０の温度は、カバー４の底部４０と同様に、電子レンジによる加熱前よりは多少上昇しているが、従来技術の特許文献１の温灸具と比較すれば、それほど熱さを感じることがない十分な低温とすることができる。よって、使用者は、電子レンジによる加熱直後において、容器３の側壁部３１や底部３０、さらには、カバー４の側壁部４１に触れてもやけどなどすることなく、容易に容器３の側壁部３１などを掴んで温灸具１を持ち運んだり、容器３を押し込んでカバー４に対してスライドさせたりすることができる。
【００３３】
以上、本発明の一実施形態について説明したが、本発明の具体的な態様は上記実施形態に限定されない。例えば、上記実施形態では、カバー４の底部４０の第１突起４３は、平面視で環状に形成されているが、必ずしも環状に形成されている必要はなく、外形が矩形状や多角形状の枠状の他、枠や環の中空内部が埋められた平坦状に形成されていてもよい。また、必ずしも第１突起４３を設ける必要はない。
【００３４】
また、上記実施形態では、容器３の底部３０に環状の第２突起３２が設けられているが、必ずしも環状に形成されている必要はなく、外形が矩形状や多角形状の枠状の他、枠や環の中空内部が埋められた平坦状に形成されていてもよい。また、第２突起３２が複数設けられていてもよい。また、必ずしも第２突起３２を設ける必要はない。
【００３５】
また、上記実施形態では、容器３の側壁部３０にリブ３３が設けられているが、発熱体２の形状を変えて、発熱体２の外周面に、容器３の側壁部３１の内周面と当接するリブが一体に設けられていてもよい。また、必ずしもリブ３３を設ける必要はない。
【００３６】
また、上記実施形態では、カバー４の側壁部４１に凹部４４，４５が、容器３の側壁部３１に凸部３８が設けられているが、カバー４の側壁部４１に凸部３８が、容器３の側壁部３１に凹部４４，４５が設けられていてもよい。また、凸部３８は、第１凸部３８Ａ及び第２凸部３８Ｂより構成されているが、第１凸部３８Ａのみで構成されていてもよい。また、凹部４４，４５及び凸部３８により、容器３に対してスライドするカバー４を、当接位置及び離反位置にそれぞれ固定しているが、その他の手段を用いて、カバー４を当接位置及び離反位置にそれぞれ固定するようにしてもよい。
【００３７】
また、上記実施形態では、カバー４を軸方向にスライドさせることで、カバー４を容器３に対して軸方向に変位させているが、カバー４を容器３に対して軸方向に変位させる手段は、これに限定されるものではない。例えば、カバー４の内周面に雌ネジを形成するとともに、容器３の外周面に上記した雌ねじと螺合する雄ネジを形成し、雄ネジ及び雌ネジの螺合により、カバー４を容器３に取り付けるようにする。そして、カバー４を容器３に対して正逆方向に回転させることで、この回転に伴いカバー４を容器３の軸方向に変位させるようにしてもよい。
【００３８】
また、上記実施形態では、カバー４を容器３に対して軸方向に変位させることで、カバー４の底部４０の少なくとも一部を発熱体２に対して当接及び離反可能としているが、単に、カバー４を容器３に対して着脱可能に取り付けることによっても、カバー４の底部４０の少なくとも一部を発熱体２に対して当接及び離反可能とすることができる。つまり、電子レンジにより温灸具１を加熱する際には、カバー４を容器から取り外し、容器３だけを電子レンジにて加熱する。電子レンジによる加熱後において、容器３に対してカバー４を取り付けて、カバー４の底部４０を発熱体２に当接させることによっても、上記実施形態と同様の効果を奏する。
【００３９】
また、上記実施形態では、容器３及びカバー４は円筒状であるが、角筒状など種々の形状であってよい。
【実施例】
【００４０】
以下、実施例及び比較例に基づいて、本発明をさらに詳細に説明する。但し、本発明が、以下の実施例に限定されるものではない。
【００４１】
まず、実施例１として、上記実施形態に示した温灸具１において、カバー４の底部４０（第１突起４３）を発熱体２に当接させずに、発熱体２から離反させた状態（図２に示す）で電子レンジにて加熱し、加熱後、電子レンジから温灸具１を取り出して、カバー４の底部４０の温度変化を計測した。また、比較例１として、上記実施形態に示した温灸具１において、カバー４の底部４０（第１突起４３）を発熱体２に当接させた状態（図１に示す）で電子レンジにて加熱し、加熱後、電子レンジから温灸具１を取り出して、カバー４の底部４０の温度変化を計測した。電子レンジ（７００Ｗ）による加熱時間は６０秒であり、電子レンジから温灸具１を取り出した直後の発熱体２の温度は９０℃程度であった。カバー４の底部４０の温度計測は、室温（２５℃程度）にて、温度センサ（安立計器社製のＡＭ−８０００Ｅ）を設置した場所に、電子レンジから取り出した直後の温灸具１のカバー４の底部４０を温度センサ上に置いて計測した。なお、実施例１においては、温灸具１を電子レンジから取り出した後、カバー４をスライドさせ、カバー４の底部４０を発熱体２に当接させた状態で温度を計測した。計測された実施例１及び比較例１のカバー４の底部４０の温度変化を図１１に示す。なお、温灸具１の容器３及びカバー４は、実施例１及び比較例１ともに、ポリプロピレン製であり、発熱体２は、フェライト粉末を主成分として作製されている。また、計測開始時点（０分）の温度センサによる計測温度は、室温（２５℃程度）を示している。
【００４２】
図１１によれば、比較例１では、計測開始直後、計測温度が６０℃以上に跳ね上がっており、これにより、電子レンジから温灸具１を取り出した直後のカバー４の底部４０の温度が６０℃以上の高温になっていることが確認される。そして、その後の温度上昇も急であり、カバー４の底部４０の温度は、わずか約３０秒程度で最高温度（６８℃程度）に到達した後、徐々に温度が下がっていることが確認される。これに対して、実施例１では、計測開始直後の計測温度は４０℃程度であり、これにより、電子レンジから温灸具１を取り出した直後のカバー４の底部４０の温度がさほど高温となっていないことが確認される。そして、その後の温度上昇も比較例よりも緩やかであり、カバー４の底部４０の温度は、約１分程度経過した後に最高温度（６３℃程度）に到達し、その後、徐々に温度が下がっていることが確認される。このように、実施例１及び比較例１の温灸具１はともに同じ材料で形成されているところ、実施例１の温灸具１によれば、電子レンジによる加熱時に、カバー４の底部４０を発熱体２から離反させておくことで、電子レンジから取り出した直後、つまりは、温熱療法の開始直後におけるカバー４の底部４０の温度を低温に抑えることができ、かつ、最高温度に到達するまでの時間を遅らせることが可能である。よって、カバー４の底部４０の温度経過をモグサの温度経過と類似又は同等とすることができるので、モグサによる温熱療法に近い又は同等の温熱療法を使用者に施術可能であることが分かる。
【００４３】
次に、実施例２として、上記実施形態に示した温灸具１のように、リブ３３により容器３の側壁部３１と発熱体２との間に空間３４を設けた状態で電子レンジにて加熱し、加熱後、電子レンジから温灸具１を取り出して、容器３の側壁部３１の温度変化を計測した。また、比較例２として、基本的な構成は上記実施形態に示した温灸具１と同様であるが、容器３の側壁部３１にリブ３３を備えておらず、容器３の側壁部３１と発熱体２とが当接した状態で電子レンジにて加熱し、加熱後、電子レンジから温灸具１を取り出して、容器３の側壁部３１の温度変化を計測した。電子レンジ（７００Ｗ）による加熱時間は６０秒であり、電子レンジから温灸具１を取り出した直後の発熱体２の温度は９０℃程度であった。容器３の側壁部３１の温度計測は、室温（２５℃程度）にて、温度センサ（安立計器社製のＡＭ−８０００Ｅ）を設置した場所に、電子レンジから取り出した直後の温灸具１の容器３の側壁部３１を温度センサ上に置いて計測した。なお、温度の計測においては、図２のように、カバー４を容器３に対して離反するようにスライドさせた状態で容器３の側壁部３１の温度を計測した。計測された実施例２及び比較例２のカバー３の側壁部３１の温度変化を図１２に示す。なお、温灸具１の容器３及びカバー４は、実施例２及び比較例２ともに、ポリプロピレン製であり、発熱体２は、フェライト粉末を主成分として作製されている。また、計測開始時点（０分）の温度センサによる計測温度は、室温（２５℃程度）を示している。
【００４４】
図１２によれば、比較例２では、計測開始直後、計測温度が６０℃以上に跳ね上がっており、これにより、電子レンジから温灸具１を取り出した直後の容器３の側壁部３１の温度が６０℃以上の高温になっていることが確認される。そして、その後わずか約１５秒程度で最高温度である７０℃程度まで到達していることが確認される。これに対して、実施例２では、計測開始直後の計測温度は４０℃程度であり、これにより、電子レンジから温灸具１を取り出した直後の容器３の側壁部３１の温度がさほど高温となっていないことが確認される。また、その後の温度上昇も比較例２よりも緩やかであり、容器３の側壁部３１の温度は、約３０秒程度経過した後に、最高温度（５５℃程度）に到達しており、最高温度も比較例２よりも低いことが確認される。このように、実施例２及び比較例２の温灸具１はともに同じ材料で形成されているところ、実施例２の温灸具１によれば、電子レンジによる加熱時に、容器３の側壁部３１と発熱体２との間にリブ３３を介して空間３４を形成することで、電子レンジから取り出した直後における容器３の側壁部３１の温度を低温に抑えることができる。よって、温灸具１を電子レンジから取り出す際に、容器３の側壁部３１を掴んでも、使用者はそれほど熱く感じることなく容器３の側壁部３１を掴んで電子レンジから温灸具１を取り出し、患部にセットすることが可能であることが分かる。
【符号の説明】
【００４５】
１    温灸具
２    発熱体
３    容器
４    カバー
３２  第２突起
３３  リブ
３８  凸部
４０  底部
４３  第１突起
４４，４５  凹部
【図１】
2015009033.tif 000003
【図２】
2015009033.tif 000004
【図３】
2015009033.tif 000005
【図４】
2015009033.tif 000006
【図５】
2015009033.tif 000007
【図６】
2015009033.tif 000008
【図７】
2015009033.tif 000009
【図８】
2015009033.tif 000010
【図９】
2015009033.tif 000011
【図１０】
2015009033.tif 000012
【図１１】
2015009033.tif 000013
【図１２】
2015009033.tif 000014